(57)【要約】      （修正有）【課題】その表皮に通気性を有する布材を用いる場合にも、適切な音響特性を得ることができるイヤパッド並びにこれを備えるヘッドホンを提供する。【解決手段】ヘッドホンに用いる柔軟性を有するイヤパッド３であって、通気性を有してイヤパッド３の芯を構成する緩衝材３５と、通気性を有して緩衝材３５を包んでイヤパッド３の表皮を構成する布材と、を少なくとも備える。布材の少なくとも一部に印刷塗料により非通気性の塗膜層が形成されている。【選択図】図４
2020188370.tif 000002
【特許請求の範囲】
【請求項１】
ヘッドホンに用いる柔軟性を有するイヤパッドであって、
通気性を有して該イヤパッドの芯を構成する緩衝材と、通気性を有して該緩衝材を包んで該イヤパッドの表皮を構成する布材と、を少なくとも備え、
該布材の少なくとも一部に印刷塗料により非通気性の塗膜層が形成されている、
イヤパッド。
【請求項２】
前記ヘッドホンのスピーカーユニットから音波が放射される前室空間をその内側に規定する略円環状形に形成され、
該略円環状形の内側面の少なくとも一部に前記塗膜層が形成されている、
請求項１に記載のイヤパッド。
【請求項３】
前記布材の前記塗膜層が形成されていない部分において、該布材と該緩衝材との間に、柔軟性を有し非通気性のフィルム材が配されている、
請求項１または２に記載のイヤパッド。
【請求項４】
前記ヘッドホンのスピーカーユニットから音波が放射される前室空間をその内側に規定する略円環状形に形成され、
該略円環状形の外側面の少なくとも一部または人体への当接面の少なくとも一部に前記フィルム材が配されている、
請求項３に記載のイヤパッド。
【請求項５】
音波を放射するスピーカーユニットと、該スピーカーユニットを収容するハウジングと、該ハウジングに取り付けられる請求項１から４のいずれかに記載の前記イヤパッドと、を少なくとも備える、
ヘッドホン。
【発明の詳細な説明】
【技術分野】
【０００１】
本発明は、ユーザーの耳に装着されて音声再生するヘッドホンのイヤパッドに関し、特に、その表皮に通気性を有する布材を用いる場合にも、適切な音響特性得ることができるイヤパッド並びにこれを備えるヘッドホンに関する。
【背景技術】
【０００２】
ヘッドホンは、スピーカーユニットと、スピーカーユニットの背面側を囲むハウジングと、スピーカーユニットの前面側に設けられる耳接触部となるイヤパッドを備えている。ここでいうヘッドホンは、左右一対のハウジングがヘッドバンドなどで連結されているものだけでなく、ユーザーの耳にハウジングを直接支持させるイヤホンタイプのものや、ハウジングまたはコード部にマイク装置を備える所謂ヘッドセットを含んでいる。
【０００３】
このようなユーザーに直接触れるイヤパッドを構成する材料は、ユーザーの側頭部または耳に押し当てられるように柔軟性を有する部材が選ばれる。耳接触部とも呼ばれるイヤパッドは、イヤパッドの芯を構成する緩衝材と、緩衝材を包んでイヤパッドの表皮を構成する表皮材と、を備える。なお、緩衝材並びに表皮材は、それぞれ異なる別の呼称で説明される場合がある。
【０００４】
例えば、従来には、スピーカーユニットが固定される基体に装着されるイヤパッドであって、反発係数の異なる複数の弾性部材をスピーカーユニットの放音方向において積層した弾性体と、弾性体の外面を覆う表皮材と、を有し、弾性体のうち、基体側に配置される第１弾性部材と第１弾性部材に積層されて固定される第２弾性部材は外径が同一のドーナツ型であり、第２弾性部材は、その内径が前記第１ 弾性部材の内径と異なる寸法であり、かつ、第１弾性部材の内径よりも大きい内径部分を有する、ことを特徴とするイヤパッドが開示されている（特許文献１）。
【０００５】
イヤパッドが柔軟に変形するには、内部の緩衝材が外部の空気を含み又は排出できるように通気性をもち、また、表皮を構成する材料も少なくとも一部で通気性をもつ必要がある。イヤパッドの表皮を構成する材料が通気性を有する場合には、振動板から放射された音波がイヤパッドの緩衝材に伝わることになるので、そのヘッドホンの音圧周波数特性等の音響特性に大きな影響を与える。また、イヤパッドを構成する材料が通気性を有する場合には、密閉性が保てず、外部騒音がイヤパッドを通過してヘッドホンを装着したユーザーの耳に届くことになるので、イヤパッドの通気性を適切に設計することが必要になる。
【０００６】
例えば、密閉型のヘッドホンに用いるイヤパッドでは、スピーカーユニットの振動板から放射された音波が通過する前室空間を構成するように、いわゆるドーナツ状の円環形状に形成される場合がある。従来の耳覆い形のヘッドホンに使用されるイヤパッドでは、低音域の再生レベルを保ってスピーカーの振動板の前面からの放射音が漏れなくなる様に、空気を通さない非通気性の合成皮革などを表皮の材料として使用するものの、イヤパッドとしての通気性を得るために、イヤパッドの内側の表皮に貫通孔を数個設ける場合がある。ただし、そのような場合には、内側に開いている孔から内部の緩衝材であるスポンジが見えてしまい外観的に好ましくなく、また、選定する通気性のない合成皮革の材質によっては、肌や耳たぶに触れる部分の触感が悪い、長時間装着で着け心地の悪いヘッドホンと評価されるという問題がある。
【０００７】
また、緩衝材を包む表皮材に通気性を有する布材などを用いてユーザーの触感を改善する場合には、布材の一方面をラミネートするフィルム材を設けるなどの方法により非通気性にする必要がある。しかし、その場合にも、上記の合成皮革の場合と同様に、イヤパッドの内側の表皮に貫通孔を数個設けるなどにより通気性を確保しなければならず、同様の問題を生じる場合がある。
【先行技術文献】
【特許文献】
【０００８】
【特許文献１】特許第６３０３１１３号公報
【発明の概要】
【発明が解決しようとする課題】
【０００９】
本発明は、上記の従来技術が有する問題を解決するためになされたものであり、その目的は、イヤパッド並びヘッドホンに関し、特にその表皮に通気性を有する布材を用いる場合にも、適切な音響特性を得ることができるイヤパッド並びにこれを備えるヘッドホンを提供することにある。
【課題を解決するための手段】
【００１０】
本発明のイヤパッドは、ヘッドホンに用いる柔軟性を有するイヤパッドであって、通気性を有してイヤパッドの芯を構成する緩衝材と、通気性を有して緩衝材を包んでイヤパッドの表皮を構成する布材と、を少なくとも備え、布材の少なくとも一部に印刷塗料により非通気性の塗膜層が形成されている。
【００１１】
好ましくは、本発明のイヤパッドは、ヘッドホンのスピーカーユニットから音波が放射される前室空間をその内側に規定する略円環状形に形成され、略円環状形の内側面の少なくとも一部に塗膜層が形成されている。
【００１２】
また、好ましくは、本発明のイヤパッドは、布材の塗膜層が形成されていない部分において、布材と緩衝材との間に、柔軟性を有し非通気性のフィルム材が配されている。
【００１３】
好ましくは、本発明のイヤパッドは、ヘッドホンのスピーカーユニットから音波が放射される前室空間をその内側に規定する略円環状形に形成され、略円環状形の外側面の少なくとも一部または人体への当接面の少なくとも一部にフィルム材が配されている。
【００１４】
また、好ましくは、本発明のヘッドホンは、音波を放射するスピーカーユニットと、スピーカーユニットを収容するハウジングと、ハウジングに取り付けられる上記のイヤパッドと、を少なくとも備える。
【００１５】
以下、本発明の作用について説明する。
【００１６】
本発明のイヤパッドは、ヘッドホンに用いる柔軟性を有するイヤパッドであって、通気性を有してイヤパッドの芯を構成する緩衝材と、通気性を有して緩衝材を包んでイヤパッドの表皮を構成する布材と、を少なくとも備える。したがって、本発明のヘッドホンは、音波を放射するスピーカーユニットと、スピーカーユニットを収容するハウジングと、ハウジングに取り付けられるイヤパッドと、を備えるようにすればよい。通気性を有する布材をイヤパッドの表皮に用いるので、ユーザーに直接触れる部分に、例えば、吸湿性のあるファブリック材料を用いてユーザーの肌触り感を良くすることができ、長時間装着によるムレを防止することができる。
【００１７】
本発明のイヤパッドは、表皮を構成する通気性を有する布材の少なくとも一部に、印刷塗料により非通気性の塗膜層が形成されている。印刷塗料により形成される塗膜層は、布材の全部又は一部に色彩又は模様などを印刷することで形成できる。したがって、イヤパッドの一部に印刷する場合には、通気性のある布材を用いる場合にも任意の一部分を非通気性にすることができ、その結果、イヤパッドの通気性を適切に設計することができて、適切な音響特性を得ることができる。
【００１８】
また、イヤパッドは、密閉型のヘッドホンに適するように、スピーカーユニットから音波が放射される前室空間をその内側に規定する略円環状形に形成される場合には、略円環状形の内側面の少なくとも一部に塗膜層が形成されているようにすればよい。イヤパッドの表皮に通気性のある布材を用いる場合にも、密閉型のヘッドホンに適するように略円環状形の内側面を非通気性にしたイヤパッドを得ることができる。
【００１９】
また、布材の塗膜層が形成されていない部分においては、布材と緩衝材との間に、柔軟性を有し非通気性のフィルム材を配して、非通気性にすることができる。したがって、他の印刷を施さない部分においてもイヤパッドの任意の一部分を非通気性にすることができ、イヤパッドの通気性を適切に設計することができる。特に、密閉型のヘッドホンに適するように、スピーカーユニットから音波が放射される前室空間をその内側に規定する略円環状形に形成される場合には、略円環状形の外側面の少なくとも一部または人体への当接面の少なくとも一部にフィルム材が配されているようにすればよい。
【００２０】
本発明のイヤパッドを備えるヘッドホンは、非通気性の合成皮革の表皮の場合のように貫通孔を設けないので、肌触りが良くて装着感が良く、適切な音響特性を有して再生音質に優れるものになる。また、布材の塗膜層は、イヤパッドの表皮の全部又は一部に、色彩又は模様などを印刷することで形成できる。したがって、イヤパッドの外観を印刷の色彩又は模様で飾ることができ、美観に優れるデザイン・意匠のヘッドホンを実現できる。
【発明の効果】
【００２１】
本発明のイヤパッド並びヘッドホンは、その表皮に通気性を有する布材を用いる場合にも、イヤパッドの肌触りが良くて装着感が良く、適切な音響特性を得ることができる。
【図面の簡単な説明】
【００２２】
【図１】本発明の一実施形態に係るヘッドホンの外観図である。
【図２】本発明の一実施形態に係るヘッドホンの具体的な構造を示した説明図である。
【図３】本発明の一実施形態に係るイヤパッドの具体的な構造を示した説明図である。
【図４】本発明の一実施形態に係るイヤパッドの具体的な構造を示した断面図である。
【図５】本発明の一実施形態に係るヘッドホンの音圧周波数特性を示すグラフである。
【発明を実施するための形態】
【００２３】
以下、本発明の好ましい実施形態によるイヤパッド並びヘッドホンについて説明するが、本発明はこれらの実施形態には限定されない。
【実施例１】
【００２４】
図１および図２は、本発明の好ましい実施形態によるヘッドホン１について説明する図である。具体的には、図１は、ヘッドホン１の外観を示す斜視図であり、図２は、ヘッドホンユニット１Ａおよびイヤパッド３の具体的な構造を示した展開図である。なお、本実施例のヘッドホン１は、マイクロホン４を備えるヘッドセットという形態であるものの、本実施例の場合に限定されない。本発明の説明に不要な他のヘッドホン１の構成については、図示及び説明を省略する。
【００２５】
本実施例のヘッドホン１は、左右のヘッドホンユニット１Ａ、１Ｂと、これらヘッドホンユニット１Ａ、１Ｂを連結するヘッドバンド１Ｃを備えている。ヘッドホンユニット１Ａ、１Ｂは、スピーカーユニットを収容するハウジング２とイヤパッド３をそれぞれ備えている。ヘッドバンド１Ｃはハンガー１Ｄとの連結部にそれぞれ接続されており、ハンガー１Ｄ、１Ｄは各ハウジング２、２に連結されている。
【００２６】
ヘッドホン１の一方側のヘッドホンユニット１Ａは、スピーカーユニット１０と、スピーカーユニット１０の少なくとも背面側を囲むハウジング２と、スピーカーユニット１０の前面側に設けられるイヤパッド３を備えている。他方側のヘッドホンユニット１Ｂは、ヘッドホンユニット１と同様の構成を備える。ただし、マイクロホン４は、ヘッドホンユニット１Ｂに根元部分が取り付けられたアーム部の先端側に取り付けられている。
【００２７】
スピーカーユニット１０は、（図示しない）振動板と、振動板に連結される（図示しない）ボイスコイルと、ボイスコイルが配置される磁気ギャップを有する（図示しない）磁気回路と、振動板の外周部を支持する（図示しない）フレームを備えて、このフレームがハウジング２の開口部２２Ｃが設けられた連結部材２２に取り付けられている。フレームには、振動板から放射される音波が（後述する図示しない）内部空間２Ｓ側へ通過する複数の開孔が規定され、これらの開孔を覆うように通気性を有する素材で形成される（図示しない）制動部材が取り付けられる。なお、スピーカーユニット１０の構成はこれに限らず、他の各種の周知な形態を採用することができる。
【００２８】
ハウジング２は、スピーカーユニット１０のフレームが連結される連結部材２２とスピーカーユニット１０の背面側を囲み内部空間２Ｓを規定する筐体部材２１を備えている。ハウジング２の筐体部材２１には、その側部に（図示しない）複数の孔部２ａが設けられており、孔部２ａによってハウジング２の内部空間２Ｓがイヤパッド３の外側におけるハウジング２の外部と連通している。ヘッドホン１は、孔部２ａによってハウジング２の内部空間によるコンプライアンス（音響容量）を調整でき、コンプライアンスが調整されることによって周波数特性、特に低音域の周波数特性を調整することができる。
【００２９】
ハウジング２の連結部材２２は、スピーカーユニット１０の音響放射面に対向した保護部分２２Ｂと、スピーカーユニット１０の振動板が露出する開口部２２Ｃと、イヤパッド３が取り付けられるイヤパッド取付部２２Ｅと、を備えている。イヤパッド３は、スピーカーユニット１０の音響放射側にてハウジング２の連結部材２２に取り付けられる。イヤパッド取付部２２Ｅは、略円環形状の連結部材２２の外周端部に形成されるフランジ部分であって、イヤパッド３の（後述する）取付ブラケット３８が係合する。
【００３０】
イヤパッド３は、スピーカーユニット１０から音波が放射される前室空間Ｓ１をその内側に規定する略円環状形に形成される。イヤパッド３は、スピーカーユニット１０の振動板が露出するハウジング２の連結部材２２の開口部２２Ｃを覆う通気性を有する保護布３０と、略円環状形の内側面３１と、ユーザーの側頭部または耳に接触する当接面３２と、外部Ｓ２に露出する外側面３３と、ハウジング２の連結部材２２に対向する取付面３４と、を含む。
【００３１】
イヤパッド３は、ユーザーの側頭部または耳に接触することで、ハウジング２の外部をイヤパッド３の内側の空間（前室空間Ｓ１）とイヤパッド３の外側における外部Ｓ２に区分けしている。イヤパッド３の内側におけるハウジング２の前室空間Ｓ１はリスナーの耳内と連通する空間である。イヤパッド３の外側におけるハウジング２の外部Ｓ２は、イヤパッド３によって耳内の空間と区分けされている。
【００３２】
ヘッドホンユニット１Ａにおいては、ハウジング２の（図示しない）内部空間２Ｓは、イヤパッド３の内側におけるハウジング２の前室空間Ｓ１と連通している。具体的には、内部空間２Ｓは、ハウジング２を構成する筐体部材２１と、スピーカーユニット１０が連結される連結部材２２と、を含んで構成されている。ハウジング２の内部空間２Ｓは、ハウジング２の連結部材２２が備える開口部２２Ｄを介して、イヤパッド３の内側におけるハウジング２の前室空間Ｓ１と連通している。本実施例のハウジング２の開口部２２Ｄは、これを覆うように通気性を有する素材で形成される（図示しない）制動部材が取り付けられる。
【００３３】
イヤパッド３が規定する前室空間Ｓ１は、スピーカーユニット１０の振動板から放射された音波、および、ハウジング２の内部空間２Ｓを経て来た音波が通過するので、イヤパッド３を構成する部材は、ヘッドホン１の音圧周波数特性等の音響特性に大きな影響を与える。本実施例のヘッドホン１は、ハウジング２に複数の孔部２ａを有するものの、実質的に密閉型であるので、イヤパッド３の密閉性および通気性を適切に設計することが必要になる。
【００３４】
図３および図４は、イヤパッド３の具体的な構造を示した説明図である。図３は外観を示す白黒写真の斜視図であり、図４は図３におけるＡ−Ａ断面を説明する模式図である。イヤパッド３は、イヤパッド３の芯を構成する環状の弾性部材である緩衝材３５と、緩衝材３５を覆うように包んでイヤパッド３の表皮を構成する被覆部材である布材と、通気性を有してスピーカーユニット１０を覆うように取り付けられる保護布３０と、取付ブラケット３８と、を含んで構成されている。
【００３５】
緩衝材３５は、柔軟性と通気性を有してイヤパッド３の芯を構成することができるように、低反発性のウレタン部材、または、冷感ジェル部材が用いられる。緩衝材３５は、イヤパッド３の芯となるドーナツ状（円環状）に成形され、その断面は角を丸めた略長方形状となる。したがって、イヤパッド３では、略円環状形の内側面３１と、ユーザーの側頭部または耳に接触する当接面３２と、外部Ｓ２に露出する外側面３３と、ハウジング２の連結部材２２に対向する取付面３４と、を形成するように、表皮を構成する被覆部材で緩衝材３５を覆う。
【００３６】
イヤパッド３の表皮を構成する被覆部材は、複数の柔軟性を有する布材および合成皮革材を、縫合糸３７で縫製して構成されている。本実施例の表皮を構成する被覆部材は、ユーザーの側頭部または耳に触れる部分に、肌触りが良くて装着感が良くなるように、柔軟性および通気性を有する布材が主に使用されている。布材は、例えばポリエステル複合繊維を素材とする糸で織られたファブリック材であり、柔軟性および通気性を有し、肌触りが良い。本実施例のイヤパッド３では、内側面３１と、当接面３２および外側面３３に、柔軟性および通気性を有する布材が被覆部材として使用されている。
【００３７】
柔軟性および通気性を有する布材が用いられる本実施例のイヤパッド３の内側面３１には、その表面の一部に印刷塗料による非通気性の塗膜層が形成されている。図３の白黒写真に於いて、イヤパッド３の内側面３１の黒く写っている部分３１ａは、紫色に染められた布材が露出している部分である。また、イヤパッド３の内側面３１の白く写っている部分３１ｂは、蛍光黄色の印刷塗料により非通気性の塗膜層が形成されている部分である。
【００３８】
したがって、図４に図示するように、内側面３１の布材が露出している部分３１ａでは、空気Ｘが通過するように布材の通気性が保たれる。一方で、内側面３１の塗膜層が形成されている部分３１ｂは、通気性を有する布材が印刷塗料の塗膜層により目止めされるので、空気Ｘが通らなくなり非通気性になる。
【００３９】
内側面３１の塗膜層は、布材の表面に蛍光黄色の印刷塗料で濃淡を含む模様（パターン、柄、マーク、等）を描くことで、形成されている。色が濃い部分は、塗膜層の厚みが厚くて、単位面積当たりの通気量色が、塗膜層が無い場合に比べると少なくなる。また、色が薄い部分は、濃い部分よりも塗膜層の厚みが薄くなり、単位面積当たりの通気量が、濃い部分よりも多くなる。このように、本実施例のイヤパッド３では、内側面３１を構成する布材の通気性を、色彩および模様などを印刷して、非通気性の塗膜層が占める面積の割合を変えることで調整することができる。
【００４０】
イヤパッド３の当接面３２および外側面３３には、内側面３１と同様に柔軟性および通気性を有する布材が用いられている。ただし、その表面の一部には印刷塗料による非通気性の塗膜層が形成されていない。当接面３２および外側面３３の布材には、緩衝材３５との間に柔軟性を有し非通気性のフィルム材３６が配されている。本実施例の場合には、フィルム材３６は、布材の裏側を覆うようにポリウレタン樹脂でコーティングにより形成された非通気性の層である。フィルム材３６は、例えば、ポリウレタンフィルムなどの他の非通気性のラミネート材を布材に貼り合わせてもよい。
【００４１】
一方で、本実施例のイヤパッド３では、ハウジング２の連結部材２２に対向する取付面３４に、ポリウレタン素材の合成皮革材が使用されている。合成皮革材は、柔軟性を有するものの、通気性を備えない。取付面３４は、ユーザーに直接触れる部分ではないので、通気性のない合成皮革材で構わない。なお、合成皮革材で構成される取付面３４には、縫合糸３７によって通気性を有する保護布３０と、樹脂で成形された取付ブラケット３８とが縫い合わされている。
【００４２】
本実施例のイヤパッド３では、ユーザーに直接触れる部分に通気性を有する布材を用いつつも、内側面３１を除く他の部分の表皮を、密閉型のヘッドホンに適するように非通気性にしている。また、内側面３１の表面の一部３１ｂには、印刷塗料による非通気性の塗膜層が形成されている。一方で、内側面３１の表面の一部３１ａには、印刷塗料による非通気性の塗膜層が形成されていないので、イヤパッド３は、柔軟性と通気性とを確保することができる。
【００４３】
図５は、本実施例のヘッドホン１の音圧周波数特性を示すグラフである。具体的には、本実施例のイヤパッド３を備えるヘッドホン１の場合と、他の実施例の（図示しない）イヤパッド３ａを備える（図示しない）ヘッドホン１ａの場合と、比較例としての他の（図示しない）イヤパッド３００を備える（図示しない）ヘッドホン１００の場合と、を重ね書きした音圧周波数特性のグラフである。グラフは、横軸が周波数であり、縦軸がイヤパッド３の内側の空間（前室空間Ｓ１）での音圧レベルである。
【００４４】
これらのヘッドホン１、１ａまたは１００は、イヤパッド３、３ａまたは３００の構成が異なる他は共通するヘッドホンである。したがって、図５のグラフは、イヤパッド３が音圧周波数特性に与える影響を現している。また、本実施例のヘッドホン１に共通する他のヘッドホンの構成については、説明を省略する。
【００４５】
他の実施例の（図示しない）イヤパッド３ａは、内側面３１での印刷塗料による非通気性の塗膜層の面積が、本実施例のイヤパッド３よりも相対的に広くされている。つまり、イヤパッド３ａは、イヤパッド３よりも内側面３１での塗膜層が形成されていない部分の面積が小さくなり、通気性が悪くなっている。また、比較例の（図示しない）イヤパッド３００は、内側面３１の表皮を非通気性の合成皮革で構成している。したがって、イヤパッド３００は、ほぼ通気性がないものになっている。
【００４６】
本実施例のイヤパッド３を備えるヘッドホン１の場合には、イヤパッド３の内側面３１の通気性がよいので、イヤパッド３の内側の空間（前室空間Ｓ１）が実質的に他の場合に比べて広くなる。したがって、他のイヤパッド３ａまたはイヤパッド３００の場合に見られるような、４００Ｈｚ〜２ｋＨｚ付近の帯域で音圧周波数特性にディップが生じるのを防ぐことができ、適正な音圧周波数特性を実現できる。本実施例のヘッドホン１の場合には、比較例のヘッドホン１００の場合に比べて、中低音域での音圧レベルが下がり、中高音域の音圧レベルが上がる。比較試聴の結果、ヘッドホン１００に比べてヘッドホン１の再生音質の方が優れることが確認できる。
【００４７】
ただし、他の実施例の（図示しない）イヤパッド３ａの場合の結果でも分かるように、内側面３１での非通気性の塗膜層の面積を印刷塗料による模様の面積により調整できるので、内側面３１の通気性を広い範囲で調整することが可能になる。したがって、イヤパッド３または３ａでは、内側面３１を構成する布材の通気性を、色彩および模様などを印刷して調整することができる。
【００４８】
また、本実施例のイヤパッド３は、非通気性の合成皮革の表皮の場合のように貫通孔を設けなくても、印刷されていない部分の布材によって通気性を確保できるので、肌触りが良くて装着感が良くなる。本実施例のイヤパッド３では、従来のイヤパッドのように内側の表皮に貫通孔を数個設ける必要が無い。
【００４９】
したがって、イヤパッド３では、表皮に開いている貫通孔から内部の緩衝材であるスポンジが見えてしまって美観を損ねるようなことがない。むしろ、本実施例のイヤパッド３では、内側面３１に印刷塗料により非通気性の塗膜層が、色彩及び模様として形成されているので、美観に優れるデザイン・意匠のヘッドホン１を実現できる。
【００５０】
本実施例のイヤパッド３では、表皮の内側面３１にのみ非通気性の塗膜層の模様を設けている。しかし、イヤパッド３の他の当接面３２および外側面３３、さらに、取付面３４の表皮にも、塗膜層による模様を設けてもよい。美観に優れるデザイン・意匠のヘッドホン１を実現できる。
【００５１】
また、イヤパッド３では、イヤパッド３の表皮を構成する被覆部材を、複数の柔軟性を有する布材および合成皮革材を縫合糸３７で縫製して構成しているが、少なくともその一部に、通気性を有する布材が用いられていて、印刷塗料により非通気性の塗膜層がその布材に形成されていればよい。
【００５２】
また、イヤパッド３では、イヤパッド３の表皮を構成する被覆部材を、複数の柔軟性を有する布材および合成皮革材を縫合糸３７で縫製して構成しているが、少なくともその一部に、通気性を有する布材が用いられていて、印刷塗料により非通気性の塗膜層がその布材に形成されていればよい。緩衝材３５は、その断面が角を丸めた略長方形状ではなく、ほぼ円形であってもよい。その場合にも、イヤパッド３の内側面３１は、スピーカーユニット１０から音波が放射される前室空間Ｓ１をその内側に規定する面であればよい。
【００５３】
なお、図１では、ステレオ再生に対応するヘッドホン１のコードおよびプラグ部は図示を省略されている。ヘッドホン１は、音声信号を供給するコードおよびプラグ部を備えない無線信号を受信する受信部を備えるワイヤレスヘッドホンであってもよい。
【産業上の利用可能性】
【００５４】
本発明のヘッドホンは、図示するようなオーバーヘッドタイプのヘッドホンに限らず、さらに別の耳掛け部を備えるヘッドホンであってもよい。また、ヘッドホンに限らず、イヤホン等にも適用が可能である。また、本発明のヘッドホン並びにイヤホンは、家庭用のステレオ再生、もしくはマルチチャンネルサラウンド再生に限られず、ゲーム機器用途としてのゲーミングヘッドホン、車載用のオーディオ機器や、映画館等の音響再生設備にも適用が可能である。
【符号の説明】
【００５５】
１            ヘッドホン
２            ハウジング
３            イヤパッド
１０          スピーカーユニット
３０          保護布
３１          内側面
３２          当接面
３３          外側面
３４          取付面
３５          緩衝材
【図１】
2020188370.tif 000003
【図２】
2020188370.tif 000004
【図３】
2020188370.tif 000005
【図４】
2020188370.tif 000006
【図５】
2020188370.tif 000007